(57)【特許請求の範囲】
【請求項１】
遊技球が打ち込まれる遊技領域に設けられた表示装置用孔の後方に、複数の図柄を表示可能な図柄表示部を有する図柄表示装置が備えられており、表示された図柄が所定の組み合わせであると、遊技者にとって有利な特定遊技状態を生起する遊技機であって、
透明な板状体で、その前面には複数の障害部材が一体成形により突設されているとともに、その後面には前記表示装置用孔の上辺に添設されるガイドが設けられた飾り部材を、前記図柄表示部の前方で、且つ前記表示装置用孔の前面に取り付ける一方、
前記障害部材を、上面山形に形成され、その頂部の下部にリブが下方へ一体的に突設されたものとすることを特徴とする遊技機。
【発明の詳細な説明】
【０００１】
【発明の属する技術分野】
本発明は、パチンコ機等の遊技機に関する。
【０００２】
【従来の技術】
遊技機の一例としてのパチンコ機には、遊技球が打ち込まれる遊技領域に、複数の図柄を表示可能な図柄表示部を備えたものがある。このようなパチンコ機では、遊技領域上に設置された図柄始動口への遊技球の入賞によって、図柄表示部の図柄が変動表示され、所定時間後停止表示され、その停止表示が所定の組み合わせであると、遊技者にとって有利な特定遊技状態が生起するように構成されている（図柄合わせタイプ）。図柄の表示は、直接的には、図柄表示部を前面に備える液晶ディスプレイ等の表示装置が実行する。
【０００３】
そして、遊技領域を装飾し、また、図柄表示部を遊技球の激突から保護するため、図柄表示部周辺に、枠状体等の飾り部材を取り付けている。また、表示に視認性や迫力等を付加する目的で図柄表示部の大型化を図るとともに、遊技領域を有効利用するため、飾り部材を、透明な板状に形成し（板部材）、図柄表示部を覆うことが本出願人により提案されている。このような飾り部材では、遊技球の激しい流下を防止するため、遊技球が衝突可能な障害部材を、飾り部材前面に突設している。
【０００４】
【発明が解決しようとする課題】
上記パチンコ機は、飾り部材を、前面を遊技領域とする遊技盤に設けた孔へ嵌め込み、更に、周縁を螺着して取り付けており、また、表示装置を、嵌め込まれた飾り部材の裏面に嵌め込み螺着している。したがって、遊技領域を流下する遊技球が飾り部材に衝突すると、衝撃が表示装置に直接伝播し、衝突が多数回に亘ると、表示装置にガタつきや故障等の不具合を生ずることがある。特に、障害部材を設けた飾り部材に表示装置が取り付けられている場合には、遊技球が飾り部材の様々な箇所で数多く衝突するので、不具合を発生し易い。
【０００５】
また、上記障害部材は、繰り返し衝突されるものであるため、剛性高く形成される必要がある。しかし、障害部材を厚く形成すると、図柄表示の視認性が低下するし、飾り部材と一体成形する場合、気泡が混入することがある。逆に、気泡発生を防止して形成すると、強度が不足し、度重なる衝突によってひび割れなどの不具合を生ずる可能性がある。
【０００６】
よって、本発明のうち、請求項１に記載の発明の課題は、障害部材を、衝撃に十分耐えるように薄く形成して、気泡混入を防止し、視認性を向上することにある。
【０００７】
【課題を解決するための手段】
請求項１に記載の発明は、遊技球が打ち込まれる遊技領域に設けられた表示装置用孔の後方に、複数の図柄を表示可能な図柄表示部を有する図柄表示装置が備えられており、表示された図柄が所定の組み合わせであると、遊技者にとって有利な特定遊技状態を生起する遊技機であって、透明な板状体で、その前面には複数の障害部材が一体成形により突設されているとともに、その後面には前記表示装置用孔の上辺に添設されるガイドが設けられた飾り部材を、前記図柄表示部の前方で、且つ前記表示装置用孔の前面に取り付ける一方、前記障害部材を、上面山形に形成され、その頂部の下部にリブが下方へ一体的に突設されたものとすることを特徴とする。
【０００９】
【発明の実施の形態】
以下、本発明の実施形態につき、図面に基づいて説明する。
【００１０】
［第１実施形態］
図１は、本発明に係る遊技機の第１実施形態であるパチンコ機の正面図であって、パチンコ機１には機枠２が周設され、機枠２の左側縁に、前面枠３が片開き自在に蝶着されている。また、前面枠３の上部には、遊技盤４が嵌め込まれている。更に、遊技盤４の後面には、入賞球を誘導する集合板が設置されている。なお、前面枠３前面には、遊技盤４前方を覆うように、ガラス板を二重に嵌め込んだガラス枠５が片開き自在に蝶着されている。また、前面枠３下部前面には、供給皿６と貯留皿７とが上下に並設されており、貯留皿７の右方には、回動操作により発射力を調整して遊技球を打ち込み可能な操作ハンドル８が突設されている。
【００１１】
図２及び図３は遊技盤４の斜視説明図であって、遊技盤４の前面は、遊技球が打ち込まれる円形の遊技領域Ｐとして形成されている。遊技領域Ｐには、一部図示しない、複数の障害釘や各種入賞口Ｗ１〜Ｗ９（図柄始動口Ｗ６，大入賞口Ｗ７）、風車、電飾部材、そして図柄表示部を有する図柄表示装置（表示装置）、その飾り部材としての板部材１０等が設置されている。なお、パチンコ機１は、入賞すると極めて多数の賞品球が払い出される大入賞口Ｗ７の所定回の開成を特定遊技状態とする図柄合わせタイプとされている。
【００１２】
図４は板部材１０とその前方を流下する遊技球Ｂとを示す説明図である。板部材１０は、透明な合成樹脂であって、前面に、遊技球が衝突可能な柱状の障害部材１１，１１・・を多数突設された状態で成形されている。また、上下端縁に２個所ずつ、螺着部１２，１２・・が成形されている。更に、上端縁後面には、ガイド１７が設けられている。
【００１３】
一方、遊技領域Ｐ中央には、表示装置用孔１３が、上下端縁に２個所ずつ螺着片１４，１４・・を有した状態で設けられている。そして、板部材１０は、各螺着部１２と対応する螺着片１４とを介して、表示装置用孔１３の前面を覆うように、ネジ１６によって螺着されている。このとき、ガイド１７が、表示装置用孔１３上辺に添設される。なお、板部材１０の下辺縁中央には、作動保留の回数を示すメモリーランプ用の窓部１５が設けられている。
【００１４】
図５は遊技盤４後面の説明図であって、遊技盤４後面には、各種入賞口Ｗ１〜Ｗ９と連通した集合板２０が設置されている。なお、図５において、連通部を入賞口と同符号で示す。各種入賞口Ｗ１〜Ｗ９に入賞した遊技球Ｂは、入賞球排出装置２１へ落下される。また、図柄始動口Ｗ６や大入賞口Ｗ７等においては、入賞球Ｂは、検出器Ｄ６，Ｄ７１，Ｄ７２等で適宜検出される。
【００１５】
更に、集合板２０の上部には、表示装置取り付け部２２が設けられており、その上下辺縁には、螺着片（図示せず）が２つずつ設けられている。そして、表示装置２３が、その螺着部２４，２４・・を介して、表示装置取り付け部２２の対応する螺着片へ、ネジ２５，２５・・によって螺着されている。このとき、図６に示すように、表示装置２３の前部が、遊技盤４の表示装置用孔１３に、板部材１０と接触しない状態で嵌め込まれている。なお、板部材１０の窓部１５の後方には、メモリーランプ２６，２６・・が設置されている。
【００１６】
上記パチンコ機１では、遊技盤４の表示装置用孔１３に、板部材１０と表示装置２３とが非接触状態で位置されているので、遊技球Ｂが板部材１０へ衝突することにより発生する衝撃が直接表示装置２３に伝播することはなく、障害部材１１に繰り返し遊技球Ｂが衝突しても、表示装置に不具合が発生しない。
【００１７】
［第２実施形態］
本発明の遊技機の第２実施形態であるパチンコ機は、板部材の他は、第１実施形態のパチンコ機１と同様に形成されている。以下、第１実施形態と同様に形成されている部分には、同符号を付す。図７は、第２実施形態の遊技盤４の表示装置用孔１３の断面説明図であって、第２実施形態の板部材３０の上端縁後面に、衝撃吸収部材３１が添設されている。衝撃吸収部材３１は、発泡樹脂、スポンジ、ゴム等の、弾性を呈する長直方体状の部材である。そして、板部材３０は、表示装置用孔１３に、衝撃吸収部材３１を添わせた状態で、遊技盤４前面に螺着されている。また、表示装置２３が、前部を表示装置用孔１３上辺に添わせ、更に前面上端縁を衝撃吸収部材３１に添わせた状態で、集合板２０に螺着されている。
【００１８】
このような第２実施形態のパチンコ機では、遊技盤４の表示装置用孔１３に、板部材１０と表示装置２３とが、弾性体である衝撃吸収部材を挟んだ状態で位置されているので、衝撃吸収部材によって、遊技球Ｂが板部材１０へ衝突することにより発生する衝撃が緩和・吸収され、したがって、表示装置２３に激しい衝撃が伝播することはない。よって、障害部材１１に繰り返し遊技球Ｂが衝突しても、表示装置に不具合が発生しない。
【００１９】
［第３実施形態］
本発明の遊技機の第３実施形態のパチンコ機は、板部材の障害部材の他は、第１実施形態のパチンコ機１と同様に形成されている。以下、第１実施形態と同様に形成されている部分には、同符号を付す。図８は、第３実施形態の板部材４０の説明図であって、板部材４０の前面には、多数の障害部材４１，４１・・が一体成形により突設されている。各障害部材４１は、上面山形に形成されており、その頂部の下部には、リブ４２が下方へ一体的に突設されている。そして、板部材４０は、遊技盤４の表示装置用孔１３前部に螺着される。
【００２０】
上記第３実施形態のパチンコ機は、リブ４２が下方へ突設されているので、特に上面への衝撃に対しての剛性が増し、遊技球Ｂの衝突に対しての耐久性が増す。したがって、強度十分としながら障害部材４１を小さく薄くすることができ、障害部材４１，４１・・を一体成形する際、気泡が混入する可能性が非常に低くなるし、設置後、図柄表示が見易い。
【００２１】
なお、本発明は、上記実施形態に限定されるものではなく、次に一部示すように様々に変更可能である。遊技盤の表示装置用孔には、表示装置や板部材の一部を位置させる必要はなく、すべてを表面に位置させても良い。衝撃吸収部材の形状は、長直方体状に限られず、薄板状のものを複数並設しても良い。障害部材の形状は柱状・山形に限られず、上方へ湾曲した面等とできる。リブの設置は下方への突設に限られず、複数の方向へ延設しても良い。障害部材の設置は、板部材との一体成形によるものに限らず、別体に形成した板部材への接着による組み付けによるもの等とすることができる。そして、本発明は、パチンコ機に限らず、他の遊技機に適用できる。
【００２２】
【発明の効果】
請求項１に記載の遊技機は、障害部材の頂部の下部にリブを下方に向けて突設したので、障害部材の強度が増し、ひいては障害部材を薄く成形して、気泡の混入を防ぎ、視認性を向上する。
【図面の簡単な説明】
【図１】本発明に係る遊技機の第１実施形態であるパチンコ機の正面説明図である。
【図２】第１実施形態の遊技盤の斜視説明図である。
【図３】第１実施形態の遊技盤の分解斜視説明図である。
【図４】第１実施形態の板部材の（ａ）正面，（ｂ）斜視の説明図である。
【図５】第１実施形態の遊技盤の背面説明図である。
【図６】第１実施形態の表示装置用孔の中央断面説明図である。
【図７】第２実施形態の表示装置用孔の中央断面説明図である。
【図８】第３実施形態の板部材の（ａ）正面，（ｂ）斜視の説明図である
【符号の説明】
１・・パチンコ機、２・・機枠、３・・前面枠、４・・遊技盤、５・・ガラス枠、６・・供給皿、７・・貯留皿、８・・操作ハンドル、１０，３０，４０・・板部材（飾り部材）、１１，４１・・障害部材、１２，２４・・螺着部、１３・・表示装置用孔、１４・・螺着片、１５・・窓部、１６，２５・・ネジ、１７・・ガイド、２０・・集合板、２１・・入賞球払出装置、２２・・表示装置取り付け部、２３・・表示装置、２６・・メモリーランプ、３１・・衝撃吸収部材、４２・・リブ、Ｂ・・遊技球、Ｄ６，Ｄ７１，Ｄ７２・・検出器、Ｐ・・遊技領域、Ｗ１〜Ｗ５，Ｗ８，Ｗ９・・入賞口、Ｗ６・・図柄始動口、Ｗ７・・大入賞口。
【図１】
0003543760.tif 000002
【図２】
0003543760.tif 000003
【図３】
0003543760.tif 000004
【図４】
0003543760.tif 000005
【図５】
0003543760.tif 000006
【図６】
0003543760.tif 000007
【図７】
0003543760.tif 000008
【図８】
0003543760.tif 000009